(57)【要約】【課題】従来技術の酒、ジャム、ケチャップ、マヨネーズ、蜂蜜、野菜、果実の酢漬け、オイル漬け（梅漬け、ホールトマト、ピクルス）あるいはお菓子等の飲食物を収容して販売される口部リップがあってスマートさがなく、使用後に一般的なガラスコップとして使用されることなく直ちに捨てられていた密閉真空ガラスコップが、ガラスコップとして使用できるようにした。【解決手段】端壁部の壁厚が一様肉厚の上拡り筒体あるいは円筒体のガラスコップの開口を、全周にわたりガラスコップ上端縁を挟持する挟持溝を備え、アルミキャップの挟持溝にゴムあるいは樹脂パッキンを嵌め、中央部に逃し孔を穿設し、アルミキャップでガラスコップを覆わせて真空機械により真空にし、逃し孔をシールで密封した密閉真空ガラスコップとした。【選択図】  図４
2004352268.tif 000002
【特許請求の範囲】
【請求項１】
端壁部の壁厚が一様肉厚の上拡り筒体あるいは円筒体のガラスコップの開口を、全周にわたりガラスコップ上端縁を挟持する挟持溝を備え、アルミキャップの挟持溝にゴムあるいは樹脂パッキンを嵌め、中央部に逃し孔を穿設し、アルミキャップでガラスコップを覆わせて真空機械により真空にし、逃し孔をシールで密封した密閉真空ガラスコップ。
【請求項２】
端壁部の壁厚が一様肉厚の上拡り筒体あるいは円筒体のガラスコップの開口を、全周にわたりガラスコップ上端縁を挟持する挟持溝を備え、アルミキャップの挟持溝にゴムあるいは樹脂パッキンを嵌め、中央部に逃し孔を穿設し、アルミキャップでガラスコップを覆わせて真空機械により真空にし、逃し孔をシールで密封し、前記ガラスコップとアルミキャップとをフィルムで覆わせてなる密閉真空ガラスコップ。
【請求項３】
端壁部の壁厚が一様肉厚の上拡り筒体あるいは円筒体のガラスコップの開口を、全周にわたりガラスコップ上端縁を挟持する挟持溝を備え、アルミキャップの挟持溝にゴムあるいは樹脂パッキンを嵌め、中央部に逃し孔を穿設し、アルミキャップでガラスコップを覆わせて真空機械により真空にし、逃し孔をシールで密封し、前記ガラスコップとアルミキャップとを真空パックによりフィルムで覆わせてなる密閉真空ガラスコップ。
【請求項４】
下拡り筒体容器の開口を、全周にわたり下拡り筒体容器の上端縁を挟持する挟持溝を備え、アルミキャップの挟持溝にゴムあるいは樹脂パッキンを嵌め、中央部に逃し孔を穿設し、アルミキャップで下拡り筒体容器を覆わせて真空機械により真空にし、逃し孔をシールで密封した密閉真空容器。
【発明の詳細な説明】
【０００１】
【発明の属する技術分野】
本発明は、酒、ジャム、ケチャップ、マヨネーズ、蜂蜜、野菜、果実の酢漬け、オイル漬け（梅漬け、ホールトマト、ピクルス）あるいはお菓子等の飲食物を収容する密閉真空ガラスコップと密閉真空容器に関する。
【０００２】
【従来の技術】
従来の日本酒や果実飲料等を収容する密閉ガラス容器は、図６に示すように、開口部の外面に外向き環状突起の口部リップ１０１が形成してあって、開口を覆わせるキャップの側壁部を口部リップ１０１に係合させている。
【０００３】
【特許文献】
実開平０５−０７１１１８号
【０００４】
【発明が解決しようとする課題】
従来の密閉ガラス容器は、酒、ジャム、ケチャップ、マヨネーズ、蜂蜜、野菜、果実の酢漬け、オイル漬け（梅漬け、ホールトマト、ピクルス）あるいはお菓子等の飲食物を収容して販売される口部リップがあってスマートさがなく、使用後に一般的なガラスコップとして使用されることなく直ちに捨てられていた密閉真空ガラスコップが、ガラスコップとして使用できることが求められている。
【０００５】
【課題を解決するための手段】
そこで、本発明は、上記の事情に鑑み、酒、ジャム、ケチャップ、マヨネーズ、蜂蜜、野菜、果実の酢漬け、オイル漬け（梅漬け、ホールトマト、ピクルス）あるいはお菓子等の飲食物を収容して販売される口部リップがあってスマートさがなく、使用後に一般的なガラスコップとして使用されることなく直ちに捨てられていた密閉真空ガラスコップが、ガラスコップとして使用できるようにすべく、端壁部の壁厚が一様肉厚の上拡り筒体あるいは円筒体のガラスコップの開口を、全周にわたりガラスコップ上端縁を挟持する挟持溝を備え、アルミキャップの挟持溝にゴムあるいは樹脂パッキンを嵌め、中央部に逃し孔を穿設し、アルミキャップでガラスコップを覆わせて真空機械により真空にし、逃し孔をシールで密封した密閉真空ガラスコップとした。
【０００６】
また、本発明は、酒、ジャム、ケチャップ、マヨネーズ、蜂蜜、野菜、果実の酢漬け、オイル漬け（梅漬け、ホールトマト、ピクルス）あるいはお菓子等の飲食物を収容して販売される口部リップがあってスマートさがなく、使用後に一般的なガラスコップとして使用されることなく直ちに捨てられていた密閉真空ガラスコップが、ガラスコップとして使用できるようにすべく、端壁部の壁厚が一様肉厚の上拡り筒体あるいは円筒体のガラスコップの開口を、全周にわたりガラスコップ上端縁を挟持する挟持溝を備え、アルミキャップの挟持溝にゴムあるいは樹脂パッキンを嵌め、中央部に逃し孔を穿設し、アルミキャップでガラスコップを覆わせて真空機械により真空にし、逃し孔をシールで密封し、前記ガラスコップとアルミキャップとをフィルムで覆わせてなる密閉真空ガラスコップとした。
【０００７】
さらに、本発明は、酒、ジャム、ケチャップ、マヨネーズ、蜂蜜、野菜、果実の酢漬け、オイル漬け（梅漬け、ホールトマト、ピクルス）あるいはお菓子等の飲食物を収容して販売される口部リップがあってスマートさがなく、使用後に一般的なガラスコップとして使用されることなく直ちに捨てられていた密閉真空ガラスコップが、ガラスコップとして使用できるようにすべく、端壁部の壁厚が一様肉厚の上拡り筒体あるいは円筒体のガラスコップの開口を、全周にわたりガラスコップ上端縁を挟持する挟持溝を備え、アルミキャップの挟持溝にゴムあるいは樹脂パッキンを嵌め、中央部に逃し孔を穿設し、アルミキャップでガラスコップを覆わせて真空機械により真空にし、逃し孔をシールで密封し、前記ガラスコップとアルミキャップとを真空パックによりフィルムで覆わせてなる密閉真空ガラスコップとした。
【０００８】
さらにその上に、本発明は、中身の品質保持のため真空維持を図るべく、下拡り筒体容器の開口を、全周にわたり下拡り筒体容器上端縁を挟持する挟持溝を備え、挟持溝にゴムあるいは樹脂パッキンを嵌め、中央部に逃し孔を穿設し、アルミキャップで下拡り筒体容器を覆わせて真空機械により真空にし、逃し孔をシールで密封した密閉真空容器とした。
【０００９】
【発明の実施の態様】
本発明を添付する図面の具体的な実施例に基づいて、以下詳細に説明する。
【００１０】
本発明で使用するガラスコップは、図１に示すように、開口部の外面に口部リップのない、「端壁部の壁厚が一様肉厚」のものである。「端壁部の壁厚が一様肉厚」とは口部リップがないことを意味する。口部リップがなければスマートさがある。ただ、キャップの側壁を係合させる部分がないので、キャップの密閉に工夫を施している。さらに、本発明では、中身の品質保持のため真空維持ができるようにされている。
【００１１】
一般的にガラスコップとして使用できるため、本発明で使用するガラスコップは、上方に行くに従って断面積が大きくなる上拡り筒体、あるいは円筒体のものである。本実施例の図面は、全て上拡り筒体で示している。
【００１２】
図１は、上拡り筒体のガラスコップ１の例である。もちろん上拡り筒体、円筒体の若干の変形したものも本考案の範囲内に入る。
【００１３】
図２〜図４により本発明を説明する。
【００１４】
アルミキャップ２は、図２に示され、全周にわたりガラスコップ１の上端縁を維持する挟持溝３を備え、挟持溝３にゴムパッキン４を嵌め、中央部に逃し孔５を穿設し、逃し孔５を樹脂製のシール６で密封する。このアルミキャップ２の外周端部は安全のためカーリング７に形成しておく。挟持溝３にはゴムパッキン４に替えて樹脂パッキンを嵌めることもできる。
【００１５】
図３は、ガラスコップ１の開口部にアルミキャップ２を嵌めた状態である。ただし、ガラスコップ１内に収容物を収容する際は、シール６で逃し孔５を密封してない状態で、真空機械にかけてガラスコップ１内を真空にしてから逃し孔５をシール６で密封する。
【００１６】
図４は、ガラスコップ１とアルミキャップ２の全体をフィルム８で覆わせた状態の模式図である。単に覆わせる場合と真空パックにより覆わせた場合とがある。フィルム８には図示してないが、いいイメージを与える図柄等を印刷しておく。
【００１７】
このガラスコップ１内の収容物を取り出す場合は、まず、シール６を剥がして逃し孔５を介してガラスコップ１内と大気とを連通させ、ガラスコップ１内の真空状態を解除してから、アルミキャップ２の外周縁部を上方に持ち上げてアルミキャップ２を外し、その後、ガラスコップ１内の収容物を取り出す。
【００１８】
図５は、下拡り筒体容器の開口にアルミキャップ２を嵌めた状態を示す。
【００１９】
下拡り筒体容器とは、前述のガラスコップ１のように広口ではなく、銚子９のような狭口の容器にもアルミキャップ２は適用できる。
【００２０】
【発明の効果】
本発明は、端壁部の壁厚が一様肉厚の上拡り筒体あるいは円筒体のガラスコップの開口を、全周にわたりガラスコップ上端縁を挟持する挟持溝を備え、アルミキャップの挟持溝にゴムあるいは樹脂パッキンを嵌め、中央部に逃し孔を穿設し、アルミキャップでガラスコップを覆わせて真空機械により真空にし、逃し孔をシールで密封した密閉真空ガラスコップであるので、従来技術の酒、ジャム、ケチャップ、マヨネーズ、蜂蜜、野菜、果実の酢漬け、オイル漬け（梅漬け、ホールトマト、ピクルス）あるいはお菓子等の飲食物を収容して販売される口部リップがあってスマートさがなく、使用後に一般的なガラスコップとして使用されることなく直ちに捨てられていた密閉真空ガラスコップが、ガラスコップとして使用できるようにした。
【００２１】
また、本発明は、端壁部の壁厚が一様肉厚の上拡り筒体あるいは円筒体のガラスコップの開口を、全周にわたりガラスコップ上端縁を挟持する挟持溝を備え、アルミキャップの挟持溝にゴムあるいは樹脂パッキンを嵌め、中央部に逃し孔を穿設し、アルミキャップでガラスコップを覆わせて真空機械により真空にし、逃し孔をシールで密封し、前記ガラスコップとアルミキャップとをフィルムで覆わせてなる密閉真空ガラスコップであるので、従来技術の酒、ジャム、ケチャップ、マヨネーズ、蜂蜜、野菜、果実の酢漬け、オイル漬け（梅漬け、ホールトマト、ピクルス）あるいはお菓子等の飲食物を収容して販売される口部リップがあってスマートさがなく、使用後に一般的なガラスコップとして使用されることなく直ちに捨てられていた密閉真空ガラスコップが、ガラスコップとして使用できるようにした。
【００２２】
さらに、本発明は、端壁部の壁厚が一様肉厚の上拡り筒体あるいは円筒体のガラスコップの開口を、全周にわたりガラスコップ上端縁を挟持する挟持溝を備え、アルミキャップの挟持溝にゴムあるいは樹脂パッキンを嵌め、中央部に逃し孔を穿設し、アルミキャップでガラスコップを覆わせて真空機械により真空にし、逃し孔をシールで密封し、前記ガラスコップとアルミキャップとを真空パックによりフィルムで覆わせてなる密閉真空ガラスコップであるので、従来技術の酒、ジャム、ケチャップ、マヨネーズ、蜂蜜、野菜、果実の酢漬け、オイル漬け（梅漬け、ホールトマト、ピクルス）あるいはお菓子等の飲食物を収容して販売される口部リップがあってスマートさがなく、使用後に一般的なガラスコップとして使用されることなく直ちに捨てられていた密閉真空ガラスコップが、ガラスコップとして使用できるようにした。
【００２３】
さらにその上に、本発明は、下拡り筒体容器の開口を、全周にわたり下拡り筒体容器の上端縁を挟持する挟持溝を備え、アルミキャップの挟持溝にゴムあるいは樹脂パッキンを嵌め、中央部に逃し孔を穿設し、アルミキャップで下拡り筒体容器を覆わせて真空機械により真空にし、逃し孔をシールで密封した密閉真空容器であるので、中身の品質保持のため真空維持ができる。
【図面の簡単な説明】
【図１】図１は、上拡り筒体のガラスコップの断面図である。
【図２】本発明のアルミキャップの断面図である。
【図３】本発明のアルミキャップをガラスコップの開口部に嵌めた状態の断面図である。
【図４】本発明のガラスコップとアルミキャップの全体をフィルムで覆った模式図である。
【図５】図５は、下拡り筒体容器の開口にアルミキャップを嵌めた状態を示す正面図である。
【図６】従来のガラス容器の正面図である。
【符号の説明】
１…ガラスコップ
３…挟持溝
４…ゴムパッキン
５…逃し孔
６…シール
２…アルミキャップ
８…フィルム
９…銚子
【図１】
2004352268.tif 000003
【図２】
2004352268.tif 000004
【図３】
2004352268.tif 000005
【図４】
2004352268.tif 000006
【図５】
2004352268.tif 000007
【図６】
2004352268.tif 000008